(57)【要約】【課題】ハードディスク装置に格納された番組用のファイルを読み出して表示する際の、ユーザの利便性及び作業効率の向上を図る。【解決手段】ディレクトリ処理部１０に備えた完プロ／部分手直し表示判定部２１は、画面遷移部２０が完プロ一覧画面（ｂ）を表示する際に、完プロの番組または部分手直しの番組が所定の条件を満たすようにＨＤＤ装置２に収録されているか否かを判定し、画面遷移部２０は、所定の条件が満たされない場合に、当該番組フォルダの名称を表示しない。完プロ／部分手直し表示判定部２１は、所定の条件として、ルート直下に番組フォルダが存在し、番組フォルダ直下に完プロフォルダまたは部分手直しフォルダが存在し、完プロフォルダまたは部分手直しフォルダに技術メタ情報ファイル（profile.xml）が格納されており、所定数の映像ファイル等が格納されているか否かを判定する。【選択図】図５
2016127503.tif 000002
【特許請求の範囲】
【請求項１】
可搬型のハードディスク装置に格納された番組用のファイルを読み出して表示するファイル表示装置において、
前記ハードディスク装置へアクセスし、前記番組の収録の条件を満たしているか否かの判定を行う表示判定部と、
画面に表示されたボタンの操作に従って、前記番組を識別するための素材コードを含む名称を一覧で表示する際に、前記判定を行なうための指示を前記表示判定部に出力し、前記表示判定部から判定結果を入力し、前記判定結果が前記条件を満たしていることを示している場合、前記条件を満たしている前記番組の素材コードを含む名称を表示する一覧表示部と、を備え、
前記条件を、
前記ハードディスク装置内に、前記番組の素材コードを含む名称の番組フォルダが存在し、
前記番組フォルダ内に、制作済みの前記番組用のファイルが格納される完プロフォルダ、及び前記制作済みの前記番組用のファイルを部分的に手直ししたファイルが格納される部分手直しフォルダの両方または一方が存在し、
前記完プロフォルダが存在する場合、当該完プロフォルダ内に、前記番組に関する情報が格納された技術メタ情報ファイルが存在すると共に、所定数の映像ファイル、音声ファイル、及び、前記映像ファイル及び前記音声ファイルに関する情報が格納されたメタ情報ファイルが存在し、
前記部分手直しフォルダが存在する場合、当該部分手直しフォルダ内に、前記技術メタ情報ファイルが存在すると共に、所定数の映像ファイル、音声ファイル及び前記メタ情報ファイルが存在するものとする、ことを特徴とするファイル表示装置。
【請求項２】
請求項１に記載のファイル表示装置において、
前記表示判定部は、
前記ハードディスク装置内に、前記番組フォルダが存在するか否かの第１の条件を判定し、
前記第１の条件について、前記番組フォルダが存在すると判定した場合、前記番組フォルダ内に、前記完プロフォルダ及び前記部分手直しフォルダの両方または一方が存在するか否かの第２の条件を判定し、
前記第２の条件について、前記完プロフォルダが存在すると判定した場合、当該完プロフォルダ内に、前記技術メタ情報ファイルが存在するか否かの第３−１の条件を判定し、
前記第２の条件について、前記部分手直しフォルダが存在すると判定した場合、当該部分手直しフォルダ内に、前記技術メタ情報ファイルが存在するか否かの第３−２の条件を判定し、
前記第３−１の条件において、前記技術メタ情報ファイルが存在すると判定した場合、前記完プロフォルダ内に、１つの映像ファイル、１つの音声ファイル及び１つの前記メタ情報ファイルが存在するか否かの第４−１の条件を判定し、
前記３−２の条件において、前記技術メタ情報ファイルが存在すると判定した場合、１つの映像ファイル、１つの音声ファイル及び１つの前記メタ情報ファイルを１つの部分手直しファイルとみなして、前記部分手直しフォルダ内に、１つ以上の前記部分手直しファイルが存在するか否かの第４−２の条件を判定し、
前記第４−１の条件について、前記１つの映像ファイル、前記１つの音声ファイル及び前記１つのメタ情報ファイルが存在すると判定した場合、または、前記第４−２の条件について、前記１つ以上の部分手直しファイルが存在すると判定した場合、前記番組について条件を満たしていることを示す判定結果を生成する、ことを特徴とするファイル表示装置。
【請求項３】
請求項１または２に記載のファイル表示装置において、
さらに、前記技術メタ情報ファイルに格納された前記番組に関する情報を表示する技術メタ情報ファイル表示部と、
前記技術メタ情報ファイルのフォーマットをチェックするフォーマットチェック部と、
前記番組に関する情報の項目名、当該項目名に対応するタグ名または属性名、及び、当該項目名に対応する条件であって、前記完プロフォルダ内のファイルが完成登録されて前記番組の完成プログラムパッケージとして送出される際の、前記完成登録されない条件を含むチェックテーブルと、を備え、
前記フォーマットチェック部は、
前記ハードディスク装置に格納された技術メタ情報ファイルから、タグ名、当該タグ名に対応するデータ、属性名、及び当該属性名に対応するデータを読み出し、前記チェックテーブルに基づいて、前記読み出したタグ名または属性名に対応するデータが前記条件を満たすか否かを判定し、
前記技術メタ情報ファイル表示部は、
前記フォーマットチェック部により前記条件を満たすと判定された前記タグ名、前記属性名、または、当該タグ名若しくは当該属性名に対応する前記データを、前記完成登録されないことを示す所定の形態にて表示する、ことを特徴とするファイル表示装置。
【請求項４】
請求項３に記載のファイル表示装置において、
さらに、前記番組に関する情報の項目名、及び当該項目名に対応するタグ名または属性名を含むタグ名テーブルを備え、
前記技術メタ情報ファイル表示部を、前記技術メタ情報ファイルに格納された前記番組に関する情報を表形式で表示する表形式表示部とし、
前記表形式表示部は、
前記ハードディスク装置に格納された技術メタ情報ファイルから、タグ名、当該タグ名に対応するデータ、属性名、及び当該属性名に対応するデータを読み出し、前記タグ名テーブルに基づいて、前記読み出したタグ名または属性名に対応する項目名を特定し、前記特定した項目名及び前記読み出したデータを表形式で表示すると共に、前記フォーマットチェック部により前記条件を満たすと判定された前記項目名または前記データを、前記完成登録されないことを示す所定の形態にて表示する、ことを特徴とするファイル表示装置。
【請求項５】
コンピュータを、請求項１から４までのいずれか一項に記載のファイル表示装置として機能させるためのファイル表示プログラム。
【発明の詳細な説明】
【技術分野】
【０００１】
本発明は、可搬型のハードディスク装置に接続して番組用のファイルを表示するファイル表示装置及びプログラムに関する。
【背景技術】
【０００２】
従来、放送番組の制作現場では、番組をファイルベースで取り扱うＦＢ（File Base：ファイルベース）送出システムが運用されている。ＦＢ送出システムでは、完成登録された番組用のファイルを完成プログラムパッケージ（以下、「完プロ」という。）としてファイルベースで送出する。
【０００３】
このようなＦＢ送出システムの運用に際し、番組の収録から編集、登録及び送出までの一連の作業の過程において、番組の情報をファイルベースで管理する。番組の情報をファイルとして一時的に保管したり、設備間で移動させたりするには、ＢＭ（ブリッジメディア：Bridge Media）と呼ばれる持ち運びが可能な可搬型の大容量ハードディスク装置が用いられる。１台のＢＭには、番組毎に、動画ファイル、音声ファイル及びその番組に関する情報等が格納される。
【０００４】
図２０は、ＢＭの運用イメージを示す図である。図２０に示すように、スタジオにて収録された番組の情報は、ファイルベースでＢＭに格納される。ＢＭは編集室へ持ち込まれ、ＢＭから番組の情報が読み出され、編集が行われる。そして、編集された番組の情報が格納されたＢＭは登録室へ持ち込まれ、番組の情報が完成登録され、完成登録された番組の情報はファイルベースで送出される。また、ＢＭは、番組の情報が送出されるまでの過程において、スタジオ、編集室または登録室からＰＤ（番組ディレクター）居室へ持ち込まれ保管されたり、ＰＤ居室からスタジオ、編集室または登録室へ持ち込まれたりする。
【０００５】
ここで、ＢＭに格納された番組の情報の完成登録は、番組の情報がファイルベースで送出される前に行われる必須の作業であり、ＢＭに格納された番組の情報のうち所定の情報が正しい形式で構成されているか、正しい情報であるか等の照合により行われる。完成登録された番組の情報は、正式な番組としてファイルベースで送出される。
【０００６】
このような番組を制作する際に用いる技術として、例えば、番組を制作する際に所望の情報を容易に得ることを可能とする手法（特許文献１を参照）、編集済みの番組素材を容易に再編集することを可能とする手法（特許文献２を参照）等、様々な技術が開示されている。
【先行技術文献】
【特許文献】
【０００７】
【特許文献１】特開２００３−１５３１８９号公報
【特許文献２】特開２０１２−３４２１８号公報
【発明の概要】
【発明が解決しようとする課題】
【０００８】
番組の収録から編集、登録及び送出までの一連の作業の過程において、例えば、ＰＤ居室からＢＭを持ち出す前に、ＢＭに格納されている情報を確認したい場合がある。また、登録室にて登録処理を行っているときにエラーが発生したときには、ＢＭに格納されている情報を確認したい場合もある。ＢＭの外観からは、ＢＭ内に格納されている情報の内容、空き容量等を把握することができない。このような場合、ＢＭに格納されている情報へアクセスするためには、編集室等の特定の場所へＢＭを持ち込み、番組編集を行う専用装置にＢＭを接続する必要があった。
【０００９】
しかしながら、ＢＭを専用装置に接続しても、ＢＭに格納されているファイルの一覧が表示されるのみである。このため、ユーザは、完成登録のために必要なファイルが所定のフォルダに存在するか、また、完成登録のために必要なデータが所定のファイルに格納されているか等を容易に把握することができない。つまり、ＢＭに格納されているファイルについて、番組用のファイルとして完成しているか、または、どのような状態であるのかを容易に把握することができない。
【００１０】
例えば、後述する番組に関する情報が格納された技術メタ情報ファイルは、完成登録のために必要なファイルであるが、ＸＭＬ（eXtensible Markup Language）形式にてそのタグ名等がテキスト表示されるのみである。このため、ユーザは、その具体的な内容を容易に把握することができず、タグ名等を解析する労力が必要であった。
【００１１】
このように、ユーザは、ＢＭに格納された情報に容易にアクセスすることができず、ＢＭを編集室等へ持ち込んで専用装置を使用したとしても、その内容の把握が困難であるという問題があった。つまり、ＢＭに格納された情報を確認し、内容を把握する際に、利便性が悪く、番組制作の作業効率が低下するという問題があった。
【００１２】
そこで、本発明は前記課題を解決するためになされたものであり、その目的は、番組の収録から編集、登録及び送出までの一連の作業の過程において、ハードディスク装置に格納された番組用のファイルを読み出して表示する際の、ユーザの利便性及び作業効率の向上を図ることが可能なファイル表示装置及びプログラムを提供することにある。
【課題を解決するための手段】
【００１３】
前記課題を解決するために、請求項１の発明は、可搬型のハードディスク装置に格納された番組用のファイルを読み出して表示するファイル表示装置において、前記ハードディスク装置へアクセスし、前記番組の収録の条件を満たしているか否かの判定を行う表示判定部と、画面に表示されたボタンの操作に従って、前記番組を識別するための素材コードを含む名称を一覧で表示する際に、前記判定を行なうための指示を前記表示判定部に出力し、前記表示判定部から判定結果を入力し、前記判定結果が前記条件を満たしていることを示している場合、前記条件を満たしている前記番組の素材コードを含む名称を表示する一覧表示部と、を備え、前記条件を、前記ハードディスク装置内に、前記番組の素材コードを含む名称の番組フォルダが存在し、前記番組フォルダ内に、制作済みの前記番組用のファイルが格納される完プロフォルダ、及び前記制作済みの前記番組用のファイルを部分的に手直ししたファイルが格納される部分手直しフォルダの両方または一方が存在し、前記完プロフォルダが存在する場合、当該完プロフォルダ内に、前記番組に関する情報が格納された技術メタ情報ファイルが存在すると共に、所定数の映像ファイル、音声ファイル、及び、前記映像ファイル及び前記音声ファイルに関する情報が格納されたメタ情報ファイルが存在し、前記部分手直しフォルダが存在する場合、当該部分手直しフォルダ内に、前記技術メタ情報ファイルが存在すると共に、所定数の映像ファイル、音声ファイル及び前記メタ情報ファイルが存在するものとする、ことを特徴とする。
【００１４】
また、請求項２の発明は、請求項１に記載のファイル表示装置において、前記表示判定部が、前記ハードディスク装置内に、前記番組フォルダが存在するか否かの第１の条件を判定し、前記第１の条件について、前記番組フォルダが存在すると判定した場合、前記番組フォルダ内に、前記完プロフォルダ及び前記部分手直しフォルダの両方または一方が存在するか否かの第２の条件を判定し、前記第２の条件について、前記完プロフォルダが存在すると判定した場合、当該完プロフォルダ内に、前記技術メタ情報ファイルが存在するか否かの第３−１の条件を判定し、前記第２の条件について、前記部分手直しフォルダが存在すると判定した場合、当該部分手直しフォルダ内に、前記技術メタ情報ファイルが存在するか否かの第３−２の条件を判定し、前記第３−１の条件において、前記技術メタ情報ファイルが存在すると判定した場合、前記完プロフォルダ内に、１つの映像ファイル、１つの音声ファイル及び１つの前記メタ情報ファイルが存在するか否かの第４−１の条件を判定し、前記３−２の条件において、前記技術メタ情報ファイルが存在すると判定した場合、１つの映像ファイル、１つの音声ファイル及び１つの前記メタ情報ファイルを１つの部分手直しファイルとみなして、前記部分手直しフォルダ内に、１つ以上の前記部分手直しファイルが存在するか否かの第４−２の条件を判定し、前記第４−１の条件について、前記１つの映像ファイル、前記１つの音声ファイル及び前記１つのメタ情報ファイルが存在すると判定した場合、または、前記第４−２の条件について、前記１つ以上の部分手直しファイルが存在すると判定した場合、前記番組について条件を満たしていることを示す判定結果を生成する、ことを特徴とする。
【００１５】
また、請求項３の発明は、請求項１または２に記載のファイル表示装置において、さらに、前記技術メタ情報ファイルに格納された前記番組に関する情報を表示する技術メタ情報ファイル表示部と、前記技術メタ情報ファイルのフォーマットをチェックするフォーマットチェック部と、前記番組に関する情報の項目名、当該項目名に対応するタグ名または属性名、及び、当該項目名に対応する条件であって、前記完プロフォルダ内のファイルが完成登録されて前記番組の完成プログラムパッケージとして送出される際の、前記完成登録されない条件を含むチェックテーブルと、を備え、前記フォーマットチェック部が、前記ハードディスク装置に格納された技術メタ情報ファイルから、タグ名、当該タグ名に対応するデータ、属性名、及び当該属性名に対応するデータを読み出し、前記チェックテーブルに基づいて、前記読み出したタグ名または属性名に対応するデータが前記条件を満たすか否かを判定し、前記技術メタ情報ファイル表示部が、前記フォーマットチェック部により前記条件を満たすと判定された前記タグ名、前記属性名、または、当該タグ名若しくは当該属性名に対応する前記データを、前記完成登録されないことを示す所定の形態にて表示する、ことを特徴とする。
【００１６】
また、請求項４の発明は、請求項３に記載のファイル表示装置において、さらに、前記番組に関する情報の項目名、及び当該項目名に対応するタグ名または属性名を含むタグ名テーブルを備え、前記技術メタ情報ファイル表示部を、前記技術メタ情報ファイルに格納された前記番組に関する情報を表形式で表示する表形式表示部とし、前記表形式表示部が、前記ハードディスク装置に格納された技術メタ情報ファイルから、タグ名、当該タグ名に対応するデータ、属性名、及び当該属性名に対応するデータを読み出し、前記タグ名テーブルに基づいて、前記読み出したタグ名または属性名に対応する項目名を特定し、前記特定した項目名及び前記読み出したデータを表形式で表示すると共に、前記フォーマットチェック部により前記条件を満たすと判定された前記項目名または前記データを、前記完成登録されないことを示す所定の形態にて表示する、ことを特徴とする。
【００１７】
さらに、請求項５の発明は、コンピュータを、請求項１から４までのいずれか一項に記載のファイル表示装置として機能させるためのファイル表示プログラムである。
【発明の効果】
【００１８】
以上のように、本発明によれば、番組の収録から編集、登録及び送出までの一連の作業の過程において、ハードディスク装置に格納された番組用のファイルを読み出して表示する際の、ユーザの利便性及び作業効率の向上を図ることが可能となる。
【図面の簡単な説明】
【００１９】
【図１】本発明の実施形態によるファイル表示装置のハードウェア構成を示す概略図である。
【図２】ファイル表示装置の記憶装置に格納されたプログラム等を示す図である。
【図３】ＢＭのフォルダ構成の一例を示す図である。
【図４】制御部の機能構成を示すブロック図である。
【図５】ＢＭ内部情報解析処理を示すフローチャートである。
【図６】画面フローを示す図である。
【図７】選択画面（ａ）を示す図である。
【図８】完プロ一覧画面（ｂ）を示す図である。
【図９】完プロ／部分手直し選択画面（ｃ）を示す図である。
【図１０】完プロ／部分手直しメニュー画面（ｄ）を示す図である。
【図１１】技術メタ情報ファイルプレビュー画面（表形式）（ｅ）を示す図である。
【図１２】技術メタ情報ファイルプレビュー画面（テキスト形式）（ｆ）を示す図である。
【図１３】ディレクトリ画面（ｇ）を示す図である。
【図１４】ディレクトリ処理部の機能構成を示すブロック図である。
【図１５】技術メタ情報処理部の機能構成を示すブロック図である。
【図１６】完プロ一覧画面（ｂ）の表示処理の詳細を示すフローチャートである。
【図１７】技術メタ情報ファイルプレビュー画面（ｅ）（ｆ）の表示処理の詳細を示すフローチャートである。
【図１８】チェックテーブルのデータ構成を示す図である。
【図１９】タグ名テーブルのデータ構成を示す図である。
【図２０】ＢＭの運用イメージを示す図である。
【発明を実施するための形態】
【００２０】
以下、本発明を実施するための形態について図面を用いて詳細に説明する。
〔ハードウェア構成〕
まず、本発明の実施形態によるファイル表示装置のハードウェア構成について説明する。図１は、本発明の実施形態によるファイル表示装置のハードウェア構成を示す概略図である。このファイル表示装置１は、例えば携帯可能なタブレット端末であり、ＣＰＵ５１と、プログラム、テーブル及びデータ等を記憶するＲＯＭ及びＲＡＭからなる記憶部５２と、プログラム、テーブル及びデータ等を記憶する記憶装置（ハードディスク装置）５３とを備える。
【００２１】
また、ファイル表示装置１は、当該ファイル表示装置１に接続される可搬型のＢＭであるＨＤＤ装置（ハードディスク装置）２との間の読み出し制御を行うＨＤＤインタフェース部５４、ユーザによるキーボード、マウス、タッチパネル等５９の操作に伴い、所定のデータを入力制御する操作／入力部５５と、ユーザに対しデータ入力操作等を促すための画面データを表示器６０に出力する表示インタフェース部５６と、インターネット等のネットワークを介してプログラム及びデータの送受信を行う通信部５７とを備える。これらの構成要素は、システムバス５８を介して相互に接続される。
【００２２】
ＨＤＤ装置２は、ユーザにより持ち運び可能な可搬型の装置（前述のＢＭ）であり、ユーザの作業により、所定のケーブルを用いてファイル表示装置１に接続される。
【００２３】
記憶装置５３には、ファイル表示装置１の基本的な機能を提供するためのＯＳ（オペレーティングシステム）プログラム、ＨＤＤ装置２に格納された番組の情報を読み出し、完プロフォルダ及び部分手直しフォルダを検索し、技術メタ情報ファイルを表示し、ディレクトリを表示し、映像ファイルを再生する等の処理を行うＢＭ内部情報解析プログラム、及び、ＢＭ内部情報解析プログラムにて使用するテーブル及びデータ等が記憶されている。
【００２４】
ここで、ＯＳプログラムは、ＣＰＵ５１により実行され、ファイル表示装置１の基本的な機能として、記憶部５２、記憶装置５３、ＨＤＤインタフェース部５４、操作／入力部５５、表示インタフェース部５６及び通信部５７を管理する。そして、このＯＳプログラムがＣＰＵ５１により実行された状態で、前述のＢＭ内部情報解析プログラムが実行される。
【００２５】
制御部５０は、ＣＰＵ５１及び記憶部５２により構成され、ＣＰＵ５１が記憶装置５３に記憶されたＢＭ内部情報解析プログラムを記憶部５２に読み出して実行することにより、ファイル表示装置１全体を統括制御する。図１は、ＢＭ内部情報解析プログラム等が記憶装置５３から記憶部５２に読み出された状態を示している。このように、ファイル表示装置１は、図１に示したハードウェア構成により、制御部５０がＢＭ内部情報解析プログラムに従って各種処理を行う。
【００２６】
（記憶装置５３）
図２は、図１に示した記憶装置５３に格納されたプログラム等を示す図である。この記憶装置５３には、ＢＭ内部情報解析プログラム、チェックテーブル３３、タグ名テーブル３４等が格納されている。ＢＭ内部情報解析プログラムは、ＣＰＵ５１により、記憶装置５３から記憶部５２のＲＡＭに読み出されて実行される。チェックテーブル３３及びタグ名テーブル３４は、ＣＰＵ５１によるＢＭ内部情報解析プログラムの実行に伴い、記憶装置５３から記憶部５２のＲＡＭに読み出される。チェックテーブル３３は、技術メタ情報ファイルのフォーマットチェックの際に用いられ、タグ名テーブル３４は、技術メタ情報ファイルを表形式で表示する際に用いられる。
【００２７】
尚、記憶装置５３には、チェックテーブル３３及びタグ名テーブル３４が格納されていなくてもよい。この場合、チェックテーブル３３及びタグ名テーブル３４は、ＣＰＵ５１によるＢＭ内部情報解析プログラムの実行に伴って生成され、記憶部５２のＲＡＭに格納される。
【００２８】
また、ＢＭ内部情報解析プログラム、チェックテーブル３３及びタグ名テーブル３４は、外部のサーバからインターネット等のネットワーク及び通信部５７を介して記憶装置５３にダウンロードされるようにしてもよい。また、ＢＭ内部情報解析プログラムにより生成されたデータ（例えば、後述する完プロ一覧画面（ｂ）に表示された番組フォルダの名称、技術メタ情報ファイルのフォーマットチェックの結果）は、通信部５７及びインターネット等のネットワークを介して外部のサーバへアップロードされるようにしてもよい。
【００２９】
（ＢＭのフォルダ構成）
次に、ＢＭであるＨＤＤ装置２のフォルダ構成について説明する。図３は、ＢＭのフォルダ構成の一例を示す図である。ＢＭであるＨＤＤ装置２のルートディレクトリ直下には、番組毎のフォルダ（番組フォルダ：1234-001_HS-001、2222-001_HS-002）等が構成されている（存在する）。この番組フォルダ「1234-001_HS-001」「2222-001_HS-002」は、素材コード及び任意の名称からなる。「1234-001」「2222-001」が素材コードであり、「HS-001」「HS-002」が任意の名称である。素材コードは、番組を識別するための番号であり、半角数字４桁、半角ハイフン「-」及び半角数字３桁により構成される。
【００３０】
番組ファルダ直下には、完プロフォルダ（KANPRO）及び部分手直しフォルダ（BUBUN_TENAOSHI）等が存在する。完プロフォルダ（KANPRO）は、完成登録されてＦＢ送出される番組の情報がファイルとして格納されるフォルダである。部分手直しフォルダ（BUBUN_TENAOSHI）は、部分的に手直しされた番組のファイルが格納されるフォルダであり、例えば再放送用の番組のファイルが格納される。
【００３１】
完プロフォルダ（KANPRO）直下には、技術メタ情報ファイル（profile.xml）及びプログラムフォルダ(PROGRAM)等が存在する。この技術メタ情報ファイル（profile.xml）は、番組に関する情報が格納されたファイルであり、例えば、技術メタ情報のバージョン、ＯＡ（オンエアー）点、番組を識別するための素材コード、番組の情報が完成登録されたときの日時、完成登録の実施者の氏名、収録時間等が格納されている。
【００３２】
プログラムフォルダ(PROGRAM)直下には、図示しないコンテンツフォルダ（CONTENTS）フォルダが存在し、その直下には、映像フォルダ（VIDEO）、音声フォルダ（AUDIO）及びクリップフォルダ（CLIP）が存在する。映像フォルダ（VIDEO）には１つの映像ファイル（***.mxf）が格納され、音声フォルダ（AUDIO）には１つの音声ファイル（***.mxf）が格納され、クリップフォルダ（CLIP）には１つのクリップメタ情報ファイル（***.xml）が格納される。クリップメタ情報ファイル（***.xml）は、映像フォルダ（VIDEO）に格納された映像ファイル（***.mxf）の映像に関する情報（例えば、映像ファイル（***.mxf）のフォーマット及びコーデック形式）、及び音声フォルダ（AUDIO）に格納された音声ファイル（***.mxf）の音声に関する情報（例えば、音声ファイル（***.mxf）のサンプリングレート及びビットレート）が格納されたファイルである。１つの映像ファイル（***.mxf）、１つの音声ファイル（***.mxf）及び１つのクリップメタ情報ファイル（***.xml）により、１つの番組が構成され、完成登録される。
【００３３】
部分手直しフォルダ（BUBUN_TENAOSHI）直下には、技術メタ情報ファイル（profile.xml）及びプログラムフォルダ(T_PROGRAM)等が存在する。プログラムフォルダ(T_PROGRAM)直下には、手直し箇所の個数に応じて手直し用フォルダ(TENAOSHI_01, TENAOSHI_02等）が存在する。手直し用フォルダ(TENAOSHI_01, TENAOSHI_02等）直下には、図示しないコンテンツフォルダ（CONTENTS）が存在する。コンテンツフォルダ（CONTENTS）直下には、完プロフォルダ（KANPRO）の場合と同様に、映像フォルダ（VIDEO）、音声フォルダ（AUDIO）及びクリップフォルダ（CLIP）が存在する。映像フォルダ（VIDEO）には１つの映像ファイル（***.mxf）が格納され、音声フォルダ（AUDIO）には１つの音声ファイル（***.mxf）が格納され、クリップフォルダ（CLIP）には１つのクリップメタ情報ファイル（***.xml）が格納される。クリップメタ情報ファイル（***.xml）は、映像フォルダ（VIDEO）に格納された映像ファイル（***.mxf）の映像、及び音声フォルダ（AUDIO）に格納された音声ファイル（***.mxf）の音声に関する情報が格納されたファイルである。１つの映像ファイル（***.mxf）、１つの音声ファイル（***.mxf）及び１つのクリップメタ情報ファイル（***.xml）は、１つの部分手直しファイルとみなすことができ、これらのファイルにより１つの部分手直しファイルが構成される。つまり、プログラムフォルダ(T_PROGRAM)直下には、１つ以上の部分手直しファイルが存在することになる。
【００３４】
完プロフォルダ（KANPRO）直下のプログラムフォルダ(PROGRAM)と、部分手直しフォルダ（BUBUN_TENAOSHI）直下のプログラムフォルダ(T_PROGRAM)とを比較すると、前者のプログラムフォルダ(PROGRAM)には、コンテンツフォルダ（CONTENTS）が１つ存在するのに対し、後者のプログラムフォルダ(T_PROGRAM)には、手直し用フォルダ(TENAOSHI_01, TENAOSHI_02等）が１つ以上存在し、その直下にコンテンツフォルダ（CONTENTS）が存在する点で相違する。
【００３５】
後者のプログラムフォルダ(T_PROGRAM)には、例えば、映像ファイル（***.mxf）、音声ファイル（***.mxf）及びクリップメタ情報ファイル（***.xml）により構成される部分手直しファイルが１つ存在する場合があり、また、２つの部分手直しファイルが存在する場合もある。要するに、手直し箇所の個数に応じた数の部分手直しファイルが存在する。
【００３６】
尚、図３に示したフォルダ構成では、番組フォルダ「1234-001_HS-001」直下に、完プロフォルダ（KANPRO）及び部分手直しフォルダ（BUBUN_TENAOSHI）が存在するが、完プロフォルダ（KANPRO）及び／または部分手直しフォルダ（BUBUN_TENAOSHI）が存在しない場合もある。また、完プロフォルダ（KANPRO）直下に、プログラムフォルダ(PROGRAM)が存在するが、プログラムフォルダ(PROGRAM)が存在しない場合もある。同様に、映像フォルダ（VIDEO）、音声フォルダ（AUDIO）及びクリップフォルダ（CLIP）が存在しない場合もあり、映像ファイル（***.mxf）、音声ファイル（***.mxf）及びクリップメタ情報ファイル（***.xml）が存在しない場合もある。部分手直しフォルダ（BUBUN_TENAOSHI）についても同様である。
【００３７】
〔機能構成〕
次に、図１に示したファイル表示装置１の制御部５０について説明する。ユーザが、ＨＤＤ装置２をファイル表示装置１に接続した後、所定の開始の操作を行うと、制御部５０は、ＣＰＵ５１がＢＭ内部情報解析プログラムを実行することにより、ＢＭ内部情報解析の各種処理を行う。
【００３８】
図４は、図１に示したファイル表示装置１における制御部５０の機能構成を示すブロック図であり、ＣＰＵ５１がＢＭ内部情報解析プログラムを実行する際の機能構成を示している。この制御部５０は、ディレクトリ処理部１０、技術メタ情報処理部１１及び動画再生部１２を備えている。
【００３９】
制御部５０のディレクトリ処理部１０は、ユーザによるボタン（画面に表示されたボタン）押下の操作に従った画面表示を行い、ＨＤＤ装置２に格納されているフォルダ及びファイルを、ディレクトリの階層構造（ツリー構造）にて表示し、また、完プロの番組または部分手直しの番組がＨＤＤ装置２に収録されているか否かを判定する。
【００４０】
図１４は、ディレクトリ処理部１０の機能構成を示すブロック図である。このディレクトリ処理部１０は、画面遷移部２０、完プロ／部分手直し表示判定部（表示判定部）２１及びディレクトリ表示部２２を備えている。
【００４１】
画面遷移部２０は、ユーザによるボタン押下の操作を入力し、当該操作に従った画面を表示する。完プロ／部分手直し表示判定部２１は、完プロの番組または部分手直しの番組の情報を画面表示する際に、完プロの番組または部分手直しの番組が所定の条件を満たすようにＨＤＤ装置２に収録されているか否かを判定する。ディレクトリ表示部２２は、ＨＤＤ装置２に格納されているフォルダ及びファイルを、ディレクトリの階層構造（ツリー構造）にて表示する。
【００４２】
図４に戻って、技術メタ情報処理部１１は、技術メタ情報ファイル（profile.xml）のフォーマットチェックを行い、技術メタ情報ファイル（profile.xml）を、フォーマットチェック結果と共に表形式またはテキスト形式にて表示する。
【００４３】
図１５は、技術メタ情報処理部１１の機能構成を示すブロック図である。この技術メタ情報処理部１１は、フォーマットチェック部３０、表形式表示部３１、テキスト形式表示部３２、チェックテーブル３３及びタグ名テーブル３４を備えている。表形式表示部３１及びテキスト形式表示部３２により、技術メタ情報ファイル表示部が構成される。
【００４４】
フォーマットチェック部３０は、チェックテーブル３３に基づいて、技術メタ情報ファイル（profile.xml）に完成登録の条件を満たすデータが格納されているか等を判断するためのフォーマットチェックを行う。表形式表示部３１は、タグ名テーブル３４に基づいて、技術メタ情報ファイル（profile.xml）を表形式にて表示すると共に、フォーマットチェック結果を表示する。テキスト形式表示部３２は、技術メタ情報ファイル（profile.xml）をテキスト形式にて表示すると共に、フォーマットチェック結果を表示する。
【００４５】
チェックテーブル３３には、フォーマットチェック部３０が技術メタ情報ファイル（profile.xml）のフォーマットチェックを行う際に、チェックの対象となる項目名、条件等のデータが格納されている。タグ名テーブル３４には、表形式表示部３１が技術メタ情報ファイル（profile.xml）を表形式にて表示する際の、タグ名の代わりに表示する日本語の項目名の名称が格納されている。チェックテーブル３３及びタグ名テーブル３４のデータ構成の詳細については後述する。
【００４６】
動画再生部１２は、ユーザのボタン押下の操作に従い、完プロフォルダまたは部分手直しフォルダに格納された映像ファイル及び音声ファイルにて、動画を再生する。
【００４７】
（ＢＭ内部情報解析処理）
次に、図４に示した制御部５０によるＢＭ内部情報解析処理について詳細に説明する。図５は、ＢＭ内部情報解析処理を示すフローチャートであり、図６は、画面フローを示す図である。尚、図６の画面フローでは、「戻る」方向のフローは省略してある。
【００４８】
ユーザが、ＨＤＤ装置２をファイル表示装置１に接続した後、所定の開始操作を行い、制御部５０によるＢＭ内部情報解析処理が開始すると、制御部５０におけるディレクトリ処理部１０の画面遷移部２０は、所定の初期画面を表示する。そして、画面遷移部２０は、ユーザの操作に従って、選択画面（ａ）を表示する（ステップＳ５０１、Ｇ１）。
【００４９】
図７は、選択画面（ａ）を示す図である。この選択画面（ａ）には、「完プロ検索」、「ＢＭ保存内容表示」及び「戻る」のボタンが表示される。
【００５０】
図５及び図６に戻って、画面遷移部２０は、図７の選択画面（ａ）において、ユーザのボタン押下の操作に従い（ステップＳ５０２）、「完プロ検索」が選択されたことを判断した場合、判定指示を完プロ／部分手直し表示判定部２１に出力し、完プロ／部分手直し表示判定部２１に完プロ／部分手直し表示の判定を行わせ、その判定結果に応じて、完プロ一覧画面（ｂ）の表示処理を行う（ステップＳ５０３、Ｇ２）。また、画面遷移部２０は、図５に図示していないが、ステップＳ５０２において、「戻る」が選択されたことを判断した場合、所定の初期画面を表示する。
【００５１】
完プロ／部分手直し表示判定部２１は、ステップＳ５０３の完プロ一覧画面（ｂ）の表示処理において、画面遷移部２０から判定指示を入力すると、ＨＤＤ装置２に完プロの番組または部分手直しの番組が収録されていることを示す所定の条件を満たしているか否かを判定し、判定結果を画面遷移部２０に出力する。画面遷移部２０は、完プロ／部分手直し表示判定部２１から所定の条件を満たしている旨の判定結果を入力すると、所定の条件を満たしている番組のみのボタンを含む完プロ一覧画面（ｂ）を表示する。
【００５２】
画面遷移部２０は、完プロ一覧画面（ｂ）を表示する際に、所定の条件を満たしている番組について、ＨＤＤ装置２のルートディレクトリ直下に存在する番組フォルダの名称を読み出して表示する。また、画面遷移部２０は、当該番組フォルダ直下に存在する完プロフォルダまたは部分手直しフォルダ直下の技術メタ情報ファイルから、番組名及び副題を読み出して表示する。完プロ／部分手直し表示判定部２１による判定処理の詳細、及び所定の条件の詳細については後述する。
【００５３】
図８は、完プロ一覧画面（ｂ）を示す図である。この完プロ一覧画面（ｂ）には、番組フォルダ（の名称）「1234-001_HS-001」及び「2222-001_HS-002」、並びに「戻る」のボタンが表示される。この完プロ一覧画面（ｂ）の例は、図３に示したフォルダ構成に対応している。また、完プロ一覧画面（ｂ）には、当該番組の技術メタ情報ファイルに格納されている番組名「ＦＢテスト（スポット）」及び副題「運行技術部テスト番組」が表示される。
【００５４】
図５に戻って、画面遷移部２０は、図８の完プロ一覧画面（ｂ）において、ユーザのボタン押下の操作に従い（ステップＳ５０４）、番組フォルダ「1234-001_HS-001」が選択されたことを判断した場合、番組フォルダ「1234-001_HS-001」の完プロ／部分手直し選択画面（ｃ）を表示する（ステップＳ５０５、Ｇ３）。
【００５５】
画面遷移部２０は、ステップＳ５０５において、番組フォルダ「2222-001_HS-002」が選択されたことを判断した場合も同様に、番組フォルダ「2222-001_HS-002」の完プロ／部分手直し選択画面（ｃ）を表示する。また、画面遷移部２０は、ステップＳ５０５において、「戻る」が選択されたことを判断した場合、ステップＳ５０１へ移行する（Ｐ１）。
【００５６】
画面遷移部２０は、完プロ／部分手直し選択画面（ｃ）を表示する際に、選択された番組フォルダの名称、番組名及び副題を表示する。
【００５７】
図９は、完プロ／部分手直し選択画面（ｃ）を示す図である。この完プロ／部分手直し選択画面（ｃ）には、「完プロファイル」、「部分手直しファイル」及び「戻る」のボタンが表示される。また、完プロ／部分手直し選択画面（ｃ）には、番組フォルダ「1234-001_HS-001」、番組名「ＦＢテスト（スポット）」及び副題「運行技術部テスト番組」が表示される。
【００５８】
尚、図９の完プロ／部分手直し選択画面（ｃ）には、「完プロファイル」及び「部分手直しファイル」のボタンが表示されている。これは、完プロ／部分手直し表示判定部２１により、完プロの番組が収録されていることを示す所定の条件を満たしており、かつ、部分手直しの番組が収録されていることを示す所定の条件を満たしていることが判定されたからである。
【００５９】
例えば、完プロ／部分手直し表示判定部２１により、完プロの番組が収録されていることを示す所定の条件を満たしているが、部分手直しの番組が収録されていることを示す所定の条件を満たしていないことが判定された場合、画面遷移部２０は、「完プロファイル」のボタンを表示し、「部分手直しファイル」のボタンを表示しない。また、完プロ／部分手直し表示判定部２１により、完プロの番組が収録されていることを示す所定の条件を満たしていないが、部分手直しの番組が収録されていることを示す所定の条件を満たしていることが判定された場合、画面遷移部２０は、「完プロファイル」のボタンを表示せず、「部分手直しファイル」のボタンを表示する。
【００６０】
図５及び図６に戻って、画面遷移部２０は、図９の完プロ／部分手直し選択画面（ｃ）において、ユーザのボタン押下の操作に従い（ステップＳ５０６）、「完プロファイル」が選択されたことを判断した場合、完プロ／部分手直しメニュー画面（ｄ）を表示する（ステップＳ５０７、Ｇ４）。
【００６１】
画面遷移部２０は、ステップＳ５０５において、「部分手直しファイル」が選択されたことを判断した場合も同様に、完プロ／部分手直しメニュー画面（ｄ）を表示する。また、画面遷移部２０は、ステップＳ５０５において、「戻る」が選択されたことを判断した場合、ステップＳ５０３へ移行する（Ｐ２）。
【００６２】
画面遷移部２０は、完プロ／部分手直しメニュー画面（ｄ）を表示する際に、当該番組フォルダの名称、完プロフォルダまたは部分手直しフォルダの名称を表示すると共に、当該完プロフォルダまたは部分手直しフォルダ直下の技術メタ情報ファイルから、番組名及び副題を読み出して表示する。
【００６３】
図１０は、完プロ／部分手直しメニュー画面（ｄ）を示す図である。この完プロ／部分手直しメニュー画面（ｄ）には、技術メタ情報ファイルである「profile.xml」、「動画プレビュー」、「ディレクトリ内容確認」及び「戻る」のボタンが表示される。また、完プロ／部分手直しメニュー画面（ｄ）には、番組フォルダ「1234-001_HS-001」、完プロフォルダの名称「KANPRO」、番組名「ＦＢテスト（スポット）」及び副題「運行技術部テスト番組」が表示される。
【００６４】
図５及び図６に戻って、画面遷移部２０は、図１０の完プロ／部分手直しメニュー画面（ｄ）において、ユーザのボタン押下の操作に従い（ステップＳ５０８）、「profile.xml」が選択されたことを判断した場合、表示指示を技術メタ情報処理部１１に出力する。技術メタ情報処理部１１は、画面遷移部２０から表示指示を入力すると、技術メタ情報ファイルプレビュー画面（ｅ）（ｆ）の表示処理を行う（ステップＳ５０９、Ｇ５，Ｇ６）。
【００６５】
技術メタ情報処理部１１は、ステップＳ５０９の技術メタ情報ファイルプレビュー画面（ｅ）（ｆ）の表示処理において、画面遷移部２０から表示指示を入力する。そうすると、技術メタ情報処理部１１のフォーマットチェック部３０は、ＨＤＤ装置２から技術メタ情報ファイルを読み出し、技術メタ情報ファイルのフォーマットチェックを行い、フォーマットチェック結果を表形式表示部３１及びテキスト形式表示部３２に出力する。そして、表形式表示部３１は、技術メタ情報ファイルを表形式で表示すると共に、フォーマットチェック部３０からフォーマットチェック結果を入力して表示する。また、テキスト形式表示部３２は、技術メタ情報ファイルをテキスト形式で表示すると共に、フォーマットチェック部３０からフォーマットチェック結果を入力して表示する。
【００６６】
表形式表示部３１またはテキスト形式表示部３２は、ユーザのボタン押下の操作に従い、「戻る」が選択された場合、完了をディレクトリ処理部１０の画面遷移部２０に出力する。そして、画面遷移部２０は、表形式表示部３１またはテキスト形式表示部３２から完了を入力すると、ステップＳ５０７へ移行する（Ｐ４）。技術メタ情報ファイルプレビュー画面（ｅ）（ｆ）の表示処理の詳細については後述する。
【００６７】
図５及び図６に戻って、画面遷移部２０は、ステップＳ５０８において、「動画プレビュー」が選択されたことを判断した場合、動画を表示するために、動画再生部１２に、当該完プロフォルダまたは部分手直しフォルダに存在する映像ファイル及び音声ファイルを再生させる（ステップＳ５１０）。
【００６８】
具体的には、画面遷移部２０は、ステップＳ５０６において完プロファイルが選択されている場合、完プロフォルダ直下のプログラムフォルダにおける映像フォルダ（VIDEO）に格納されている映像ファイル、及び音声フォルダに格納されている音声ファイルを再生するための再生指示を動画再生部１２に出力する。また、画面遷移部２０は、ステップＳ５０６において部分手直しファイルが選択されている場合、部分手直しフォルダ直下のプログラムフォルダに格納されている映像ファイル及び音声ファイルの一覧を表示する。そして、画面遷移部２０は、ユーザのボタン押下の操作に従い、選択された映像ファイル及び音声ファイルを再生するための再生指示を動画再生部１２に出力する。動画再生部１２は、画面遷移部２０から映像ファイル及び音声ファイルの再生指示を入力すると、当該映像ファイルの動画を再生する。そして、画面遷移部２０は、ステップＳ５０７へ移行する（Ｐ４）。
【００６９】
画面遷移部２０は、ステップＳ５０８において、「ディレクトリ内容確認」が選択されたことを判断した場合、または、ステップＳ５０２において、「ＢＭ保存内容表示」が選択されたことを判断した場合、表示指示をディレクトリ表示部２２に出力する。ディレクトリ表示部２２は、画面遷移部２０から表示指示を入力すると、ディレクトリ画面（ｇ）を表示する（ステップＳ５１１、Ｇ７）。
【００７０】
具体的には、ディレクトリ表示部２２は、画面遷移部２０から表示指示を入力すると、ＨＤＤ装置２へアクセスし、図３に示したフォルダ構成のディレクトリ構造を表示すると共に、ファイルのフォーマット（エンコード形式）毎に空き容量を算出して表示する。そして、ディレクトリ表示部２２は、ユーザのボタン押下の操作に従い、後述する「戻る」が選択された場合、完了を画面遷移部２０に出力する。そして、画面遷移部２０は、ステップＳ５０７またはステップＳ５０１へ移行する（Ｐ４，Ｐ１）。
【００７１】
図１３は、ディレクトリ画面（ｇ）を示す図である。このディレクトリ画面（ｇ）には、図３に示したフォルダ構成のディレクトリ構造、ＨＤＤ装置２全体の空き容量の割合、及びファイルのフォーマット形式毎の空き容量が表示される。また、ディレクトリ画面（ｇ）には、「戻る」のボタンが表示される。
【００７２】
図５及び図６に戻って、画面遷移部２０は、ステップＳ５０８において、「戻る」が選択されたことを判断した場合、ステップＳ５０５へ移行する（Ｐ３）。
【００７３】
（完プロ一覧画面（ｂ）の表示処理）
次に、図５のステップＳ５０３に示した完プロ一覧画面（ｂ）の表示処理の詳細について説明する。図１６は、完プロ一覧画面（ｂ）の表示処理の詳細を示すフローチャートである。この完プロ一覧画面（ｂ）の表示処理は、ディレクトリ処理部１０の画面遷移部２０及び完プロ／部分手直し表示判定部２１により行われる。
【００７４】
前述のとおり、画面遷移部２０は、図７に示した選択画面（ａ）を表示した状態で、図５のステップＳ５０２において、「完プロ検索」が選択されたことを判断した場合、判定指示を完プロ／部分手直し表示判定部２１に出力する。
【００７５】
完プロ／部分手直し表示判定部２１は、画面遷移部２０から判定指示を入力すると、ＨＤＤ装置２へアクセスし（ステップＳ１６０１）、番組フォルダ毎に、完プロの番組または部分手直しの番組が収録されていることを示す所定の条件（ステップＳ１６０２〜ステップＳ１６０５）を満たしているか否かの完プロ／部分手直し表示の判定を行う。
【００７６】
完プロ／部分手直し表示判定部２１は、ＨＤＤ装置２のルートディレクトリ直下に、予め設定された形式の名称の番組フォルダが存在するか否かを判定する（ステップＳ１６０２）。
【００７７】
図３の例を参照して、番組フォルダの名称は、半角数字４桁、半角ハイフン（-）及び半角数字３桁の素材コード（****-***）、半角アンダーライン（_）、並びに半角６桁（******）の任意の名称からなるように、予め設定されている。完プロ／部分手直し表示判定部２１は、ルートディレクトリ直下に、素材コードを含む番組フォルダ「1234-001_HS-001」「2222-001_HS-002」が存在するから、予め設定された形式の番組フォルダが存在するものと判定する。
【００７８】
図１６に戻って、完プロ／部分手直し表示判定部２１は、ステップＳ１６０２において、予め設定された形式の名称の番組フォルダが存在すると判定した場合（ステップＳ１６０２：Ｙ）、ステップＳ１６０３へ移行し、予め設定された形式の名称の番組フォルダが存在しないと判定した場合（ステップＳ１６０２：Ｎ）、ステップＳ１６０７へ移行する。
【００７９】
完プロ／部分手直し表示判定部２１は、ステップＳ１６０２から移行して、予め設定された形式の名称の番組フォルダ毎に、番組フォルダ直下に、予め設定された完プロフォルダまたは部分手直しフォルダが存在するか否かを判定する（ステップＳ１６０３）。
【００８０】
図３の例を参照して、完プロフォルダの名称は「KANPRO」に予め設定されており、部分手直しフォルダの名称は「BUBUN_TENAOSHI」に予め設定されている。完プロ／部分手直し表示判定部２１は、番組フォルダ「1234-001_HS-001」直下に、この形式の完プロフォルダ（KANPRO）が存在するから、完プロフォルダが存在するものと判定する。また、完プロ／部分手直し表示判定部２１は、番組フォルダ「1234-001_HS-001」直下に、この形式の部分手直しフォルダ（BUBUN_TENAOSHI）が存在するから、部分手直しフォルダが存在するものと判定する。
【００８１】
図１６に戻って、完プロ／部分手直し表示判定部２１は、ステップＳ１６０３において、予め設定された形式の完プロフォルダが存在すると判定した場合、または、予め設定された部分手直しフォルダが存在すると判定した場合（ステップＳ１６０３：Ｙ）、ステップＳ１６０４へ移行する。また、完プロ／部分手直し表示判定部２１は、ステップＳ１６０３において、予め設定された形式の完プロフォルダが存在せず、かつ予め設定された部分手直しフォルダが存在しないと判定した場合（ステップＳ１６０３：Ｎ）、ステップＳ１６０７へ移行する。
【００８２】
完プロ／部分手直し表示判定部２１は、ステップＳ１６０３から移行して、ステップＳ１６０３において完プロフォルダが存在する場合、当該完プロフォルダ直下に、技術メタ情報ファイルが存在するか否かを判定し、また、ステップＳ１６０３において部分手直しフォルダが存在する場合、当該部分手直しフォルダ直下に、技術メタ情報ファイルが存在するか否かを判定する（ステップＳ１６０４）。
【００８３】
図３の例を参照して、完プロフォルダ（KANPRO）直下に、技術メタ情報ファイル（profile.xml）が存在し、部分手直しフォルダ（BUBUN_TENAOSHI）直下に、技術メタ情報ファイル（profile.xml）が存在する。完プロ／部分手直し表示判定部２１は、技術メタ情報ファイル（profile.xml）が存在するものと判定する。
【００８４】
図１６に戻って、完プロ／部分手直し表示判定部２１は、ステップＳ１６０４において、完プロフォルダ直下に技術メタ情報ファイルが存在すると判定した場合、または、部分手直しフォルダ直下に技術メタ情報ファイルが存在すると判定した場合（ステップＳ１６０４：Ｙ）、ステップＳ１６０５へ移行する。
【００８５】
一方、完プロ／部分手直し表示判定部２１は、完プロフォルダ及び部分手直しフォルダが存在する場合、ステップＳ１６０４において、いずれのフォルダにも技術メタ情報ファイルが存在しないと判定した場合（ステップＳ１６０４：Ｎ）、ステップＳ１６０７へ移行する。完プロ／部分手直し表示判定部２１は、完プロフォルダのみが存在する場合、ステップＳ１６０４において、完プロフォルダ直下に技術メタ情報ファイルが存在しないと判定した場合（ステップＳ１６０４：Ｎ）、または、部分手直しフォルダのみが存在する場合、ステップＳ１６０４において、部分手直しフォルダ直下に技術メタ情報ファイルが存在しないと判定した場合（ステップＳ１６０４：Ｎ）も同様である。
【００８６】
完プロ／部分手直し表示判定部２１は、ステップＳ１６０４から移行して、完プロフォルダが存在する場合、当該完プロフォルダ直下に、プログラムフォルダが存在し、その直下に、コンテンツフォルダが存在し、そして、その直下の映像フォルダ、音声フォルダ及びクリップフォルダに、それぞれ１つの映像ファイル、１つの音声ファイル及び１つのクリップメタ情報ファイルが存在するか否かを判定する（ステップＳ１６０５）。
【００８７】
同様に、完プロ／部分手直し表示判定部２１は、ステップＳ１６０４から移行して、部分手直しフォルダが存在する場合、当該部分手直しフォルダ直下に、プログラムフォルダが存在し、その直下に、手直し箇所の個数に応じた数の手直し用フォルダが存在し、その直下に、コンテンツフォルダが存在し、そして、その直下の映像フォルダ、音声フォルダ及びクリップフォルダに、それぞれ１つの映像ファイル、１つの音声ファイル及び１つのクリップメタ情報ファイルが存在するか否かを判定する（ステップＳ１６０５）。つまり、完プロ／部分手直し表示判定部２１は、プログラムフォルダに、映像ファイル、音声ファイル及びクリップメタ情報ファイルにより構成された部分手直しファイルが１つ以上存在するか否かを判定する。
【００８８】
図３の例を参照して、完プロフォルダ（KANPRO）直下に、プログラムフォルダ（PROGRAM）が存在し、その直下に、コンテンツフォルダ（CONTENTS）が存在し、その直下に、映像フォルダ（VIDEO）、音声フォルダ（AUDIO）及びクリップフォルダ（CLIP）が存在し、その直下に、それぞれ１つの映像ファイル（***.mxf）、１つの音声ファイル（***.mxf）及び１つのクリップメタ情報ファイル（***.xml）が存在する。また、部分手直しフォルダ（BUBUN_TENAOSHI）直下に、プログラムフォルダ（T_PROGRAM）が存在し、その直下に、手直し用フォルダ(TENAOSHI_01，TENAOSHI_02等）が存在し、その直下に、コンテンツフォルダ（CONTENTS）が存在し、その直下に、映像フォルダ（VIDEO）、音声フォルダ（AUDIO）及びクリップフォルダ（CLIP）が存在し、その直下に、それぞれ１つの映像ファイル（***.mxf）、１つの音声ファイル（***.mxf）及び１つのクリップメタ情報ファイル（***.xml）が存在する。完プロ／部分手直し表示判定部２１は、ステップＳ１６０５の条件を満たすものと判定する。
【００８９】
完プロ／部分手直し表示判定部２１は、ステップＳ１６０５において、当該条件を満たすと判定した場合（ステップＳ１６０５：Ｙ）、完プロの番組または部分手直しの番組が収録されていることを示す所定の条件を満たしている旨の判定結果を画面遷移部２０に出力する。これにより、画面遷移部２０（一覧表示部）は、図８に示した完プロ一覧画面（ｂ）を表示する（ステップＳ１６０６）。
【００９０】
一方、完プロ／部分手直し表示判定部２１は、当該条件を満たしていないと判定した場合（ステップＳ１６０５：Ｎ）、ステップＳ１６０７へ移行する。完プロ／部分手直し表示判定部２１は、ステップＳ１６０２〜ステップＳ１６０５から移行して（条件を満たしていないと判定した場合）、完プロの番組及び部分手直しの番組が収録されていないことを示す所定の条件を満たしていない旨の判定結果を画面遷移部２０に出力する。これにより、画面遷移部２０は、図８に示した完プロ一覧画面（ｂ）の代わりに、番組収録無しの画面を表示する（ステップＳ１６０７）。そして、画面遷移部２０は、ユーザのボタン押下の操作に従い、図５のステップＳ５０１へ移行し（Ｐ１）、選択画面（ａ）を表示する。
【００９１】
このように、完プロ／部分手直し表示判定部２１が、ステップＳ１６０２〜ステップＳ１６０５における完プロの番組または部分手直しの番組が収録されていることを示す所定の条件を満たしている場合、当該番組フォルダの名称のボタンは画面表示される。
【００９２】
例えば、番組フォルダが存在し、その直下に完プロフォルダ（KANPRO）が存在し、当該完プロフォルダ（KANPRO）直下に技術メタ情報ファイル（profile.xml）及びプログラムフォルダ（PROGRAM）が存在し、プログラムフォルダ（PROGRAM）の直下にコンテンツフォルダ（CONTENTS）が存在し、その直下に映像フォルダ（VIDEO）、音声フォルダ（AUDIO）及びクリップフォルダ（CLIP）が存在し、その直下に、それぞれ１つの映像ファイル（***.mxf）、１つの音声ファイル（***.mxf）及び１つのクリップメタ情報ファイル（***.xml）が存在する場合、完プロフォルダ一覧画面（ｂ）に当該番組フォルダの名称のボタンが表示される。
【００９３】
また、完プロ／部分手直し表示判定部２１が、ステップＳ１６０２において番組フォルダが存在することを判定したが、ステップＳ１６０３〜ステップＳ１６０５のいずれかの条件を満たしていないと判定した場合、当該番組フォルダの名称のボタンは画面表示されない。
【００９４】
例えば、番組フォルダが存在し、その直下に部分手直しフォルダ（BUBUN_TENAOSHI）が存在し、当該部分手直しフォルダ（BUBUN_TENAOSHI）直下に技術メタ情報ファイル（profile.xml）が存在しない場合、当該部分手直しフォルダ（BUBUN_TENAOSHI）直下にプログラムフォルダ（T_PROGRAM）が存在しない場合、または、当該部分手直しフォルダ（BUBUN_TENAOSHI）直下にプログラムフォルダ（T_PROGRAM）が存在するが、映像ファイル（***.mxf）、音声ファイル（***.mxf）及びクリップメタ情報ファイル（***. xml）のいずれも存在しない場合、当該番組フォルダの名称のボタンは表示されない。尚、完プロ一覧画面（ｂ）に番組フォルダの名称のボタンが全く表示されない場合には、完プロ一覧画面（ｂ）の代わりに、番組収録無しの画面が表示される。
【００９５】
（技術メタ情報ファイルプレビュー画面（ｅ）（ｆ）の表示処理）
次に、図５のステップＳ５０９に示した技術メタ情報ファイルプレビュー画面（ｅ）（ｆ）の表示処理の詳細について説明する。図１７は、技術メタ情報ファイルプレビュー画面（ｅ）（ｆ）の表示処理の詳細を示すフローチャートである。この技術メタ情報ファイルプレビュー画面（ｅ）（ｆ）の表示処理は、技術メタ情報処理部１１のフォーマットチェック部３０、表形式表示部３１及びテキスト形式表示部３２により行われる。
【００９６】
前述のとおり、画面遷移部２０は、図１０に示した完プロ／部分手直しメニュー画面（ｄ）を表示した状態で、図５のステップＳ５０８において、「profile.xml」が選択されたことを判断した場合、表示指示を技術メタ情報処理部１１に出力する。
【００９７】
技術メタ情報処理部１１が画面遷移部２０から表示指示を入力すると、技術メタ情報処理部１１のフォーマットチェック部３０は、チェックテーブル３３に基づいて、技術メタ情報ファイルのフォーマットチェックを行う（ステップＳ１７０１）。フォーマットチェックの対象となる技術メタ情報ファイルは、ディレクトリ処理部１０の完プロ／部分手直し表示判定部２１により、存在すると判定された完プロフォルダまたは部分手直しフォルダ直下の技術メタ情報ファイルである。
【００９８】
図１８は、チェックテーブル３３のデータ構成を示す図である。チェックテーブル３３は、項目名、タグ名／属性名、警告表示条件及び警告表示方法を含む各データから構成される。項目名は、技術メタ情報ファイル（profile.xml）が表形式で表示される場合の日本語のデータ名称を示し、タグ名／属性名に対応している。タグ名は、技術メタ情報ファイル（profile.xml）を構成するテキストデータのうち開始タグ及び終了タグの要素（タグ）の名称であり、項目名に対応している。また、属性名は、開始タグに含まれる属性の名称であり、項目名に対応している。警告表示条件は、タグ開始タグと終了タグに囲まれた内容（タグが示すデータ）、または開始タグに含まれる属性値（属性が示すデータ）に対して行われるフォーマットチェックの内容を示す。警告表示方法は、警告表示条件のフォーマットチェックの結果、当該条件を満たす場合の表示方法を示す。
【００９９】
警告表示方法における黄色表示は、図２０に示した登録室における完成登録の作業において、その警告表示条件の内容が完成登録のための条件ではないが、当該条件を満たしていないことが望ましいことを示す軽警報である。つまり、黄色表示の項目は、完成登録のために必要ではないが、運用のために必要となることを示している。
【０１００】
また、赤色表示は、完成登録の作業において、その警告表示条件を満たしていないことが完成登録の条件であり、警告表示条件を満たしているときは完成登録されないことを示す重警報である。つまり、赤色表示の項目は、完成登録のために必要であり、当該条件を満たしているときは、放送事故に直結する可能性があることを示している。
【０１０１】
具体的には、フォーマットチェック部３０は、チェックテーブル３３からタグ名／属性名、警告表示条件及び警告表示方法の各データを読み出す。そして、フォーマットチェック部３０は、例えば、項目名「バーション」について、対応するタグ名／属性名が示すデータ（内容／属性値）を技術メタ情報ファイルから抽出し、そのデータが、警告表示条件である所定の形式で構成されているか否かを判定する。フォーマットチェック部３０は、項目名「バーション」のデータが所定の形式で構成されていると判定した場合、項目名「バーション」のチェック結果としてＯＫを設定し、項目名「バーション」のデータが所定の形式で構成されていないと判定した場合、項目名「バーション」のチェック結果として、警告表示を黄色とするＮＧを設定する。
【０１０２】
また、フォーマットチェック部３０は、例えば、項目名「ＯＡ（オンエアー）点」について、対応するタグ名／属性名が示すデータを技術メタ情報ファイルから抽出し、そのデータが、警告表示条件である空欄であるか否か、及び、hh:mm:ss:ff（時：分：秒：フレーム番号）で表記されているか否かを判定する。フォーマットチェック部３０は、項目名「ＯＡ点」のデータが空欄でなく、hh:mm:ss:ffで表記されていると判定した場合、項目名「ＯＡ点」のチェック結果としてＯＫを設定し、項目名「ＯＡ点」のデータが空欄であり、またはhh:mm:ss:ffで表記されていないと判定した場合、項目名「ＯＡ点」のチェック結果として、警告表示を赤色とするＮＧを設定する。
【０１０３】
このように、技術メタ情報ファイルについて、完成登録の作業において必要ではないが、当該ファイルに格納されていることが望ましい項目に対し、警告表示条件を満たす場合、チェック結果として警告表示を黄色とするＮＧが設定される。また、完成登録の作業において、当該ファイルに格納されていることが必要である項目に対し、警告表示条件を満たす場合、チェック結果として、警告表示を赤色とするＮＧが設定される。
【０１０４】
フォーマットチェック部３０は、技術メタ情報ファイルのフォーマットチェックを行い、フォーマットチェックの対象の項目毎のチェック結果を生成すると、これらのチェック結果をフォーマットチェック結果として表形式表示部３１及びテキスト形式表示部３２に出力する。
【０１０５】
図１７に戻って、表形式表示部３１は、フォーマットチェック部３０からフォーマットチェック結果を入力し、タグ名テーブル３４に基づいて、技術メタ情報ファイルのテキスト形式のデータを表形式のデータに変換する（ステップＳ１７０２）。技術メタ情報ファイルは、テキストデータにより構成され、タグ名、及び当該タグ名に対応するデータ等から構成される。
【０１０６】
図１９は、タグ名テーブル３４のデータ構成を示す図である。タグ名テーブル３４は、項目名、及び当該項目名に対応するタグ名／属性名を含む各データから構成される。項目名及びタグ名／属性名は、図１８にて説明したとおりである。
【０１０７】
具体的には、表形式表示部３１は、技術メタ情報ファイルからタグ名、属性名、当該タグ名に対応するデータ、及び属性名に対応するデータを読み出す。そして、表形式表示部３１は、タグ名テーブル３４を用いて、読み出したタグ名に対応する項目名、及び読み出した属性名に対応する項目名を特定し、特定した項目名を表形式にて表示し、読み出したデータを表形式にて表示する。例えば、表形式表示部３１は、技術メタ情報ファイルから、タグ名「TechnicalMetadata」を読み出し、タグ名テーブル３４を用いて、タグ名「TechnicalMetadata」に対応する項目名「技術メタ」を特定し、特定した項目名「技術メタ」を表形式にて表示する。
【０１０８】
図１７に戻って、表形式表示部３１は、技術メタ情報ファイルを表形式に変換した技術メタ情報ファイルプレビュー画面（表形式）（ｅ）を表示すると共に、フォーマットチェック結果を表示する（ステップＳ１７０３、Ｇ５）。
【０１０９】
表形式表示部３１は、フォーマットチェック結果が警告表示を黄色とするＮＧの場合、技術メタ情報ファイルプレビュー画面（表形式）（ｅ）に表示された当該チェック結果の項目名または当該項目名に対応するデータを、黄色で表示する。また、表形式表示部３１は、フォーマットチェック結果が警告表示を赤色とするＮＧの場合、技術メタ情報ファイルプレビュー画面（表形式）（ｅ）に表示された当該チェック結果の項目名または当該項目名に対応するデータを、赤色で表示する。
【０１１０】
これにより、ユーザは、赤色で表示された項目名が存在する場合、現状の技術メタ情報ファイルでは完成登録されないことを認識することができ、入力の必要な項目名を知ることができる。また、ユーザは、黄色で表示された項目名が存在する場合、現状の技術メタ情報ファイルでは十分でないことを認識することができ、入力した方が望ましい項目名を知ることができる。
【０１１１】
図１１は、技術メタ情報ファイルプレビュー画面（表形式）（ｅ）を示す図である。この技術メタ情報ファイルプレビュー画面（表形式）（ｅ）には、タグ名テーブル３４を用いて特定された、タグ名／属性名に対応する項目名「技術メタ」「バージョン」等が表形式にて表示される。また、技術メタ情報ファイルから読み出されたデータである「2013-02-27・・」（属性名がバージョンのデータ）、「2013-02-27」（属性名が完プロチェックフラグの年月日のデータ）、「担当デスク」（タグ名が所属のデータ）等が表形式にて表示される。また、技術メタ情報ファイルプレビュー画面（表形式）（ｅ）には、技術メタ情報ファイルプレビュー画面（テキスト形式）（ｆ）へ移行するための「＜／＞」、及び「戻る」のボタンが表示される。さらに、技術メタ情報ファイルプレビュー画面（表形式）（ｅ）には、番組フォルダの名称「1234-001_HS-001」、部分手直しフォルダの名称「BUBUN_TENAOSHI」、番組名「新番組（仮）」及び副題「副題」が表示される。
【０１１２】
図１７に戻って、表形式表示部３１は、図１１の技術メタ情報ファイルプレビュー画面（表形式）（ｅ）において、ユーザのボタン押下の操作に従い（ステップＳ１７０４）、「＜／＞」が選択されたことを判断した場合、表示指示をテキスト形式表示部３２に出力する。また、表形式表示部３１は、ステップＳ１７０４において、「戻る」が選択されたことを判断した場合、当該技術メタ情報ファイルプレビュー画面（ｅ）（ｆ）の表示処理を終了し、図５のステップＳ５０７へ移行する（Ｐ４）。
【０１１３】
テキスト形式表示部３２は、フォーマットチェック部３０からフォーマットチェック結果を入力する。また、テキスト形式表示部３２は、表形式表示部３１から表示指示を入力すると、技術メタ情報ファイルプレビュー画面（テキスト形式）（ｆ）を表示すると共に、フォーマットチェック結果を表示する（ステップＳ１７０５、Ｇ６）。
【０１１４】
この場合、テキスト形式表示部３２は、フォーマットチェック結果が警告表示を黄色とするＮＧの場合、技術メタ情報ファイルプレビュー画面（テキスト形式）（ｆ）に表示された、当該チェック結果の項目名に対応するタグ名／属性名またはデータを、黄色で表示する。また、表形式表示部３１は、フォーマットチェック結果が警告表示を赤色とするＮＧの場合、技術メタ情報ファイルプレビュー画面（テキスト形式）（ｆ）に表示された、当該チェック結果の項目名に対応するタグ名／属性名またはデータを、赤色で表示する。
【０１１５】
図１２は、技術メタ情報ファイルプレビュー画面（テキスト形式）（ｆ）を示す図である。この技術メタ情報ファイルプレビュー画面（テキスト形式）（ｆ）には、技術メタ情報ファイルに格納されたテキストデータがそのまま表示される。また、技術メタ情報ファイルプレビュー画面（テキスト形式）（ｆ）には、技術メタ情報ファイルプレビュー画面（表形式）（ｅ）へ移行するための表の記号、及び「戻る」のボタンが表示される。さらに、技術メタ情報ファイルプレビュー画面（テキスト形式）（ｆ）には、番組フォルダの名称「1234-001_HS-001」、部分手直しフォルダの名称「BUBUN_TENAOSHI」、番組名「新番組（仮）」及び副題「副題」が表示される。
【０１１６】
図１７に戻って、テキスト形式表示部３２は、図１２の技術メタ情報ファイルプレビュー画面（テキスト形式）（ｆ）において、ユーザのボタン押下の操作に従い（ステップＳ１７０６）、表の記号が選択されたことを判断した場合、表示指示を表形式表示部３１に出力する。これにより、処理はステップＳ１７０２へ移行する。表形式表示部３１は、テキスト形式表示部３２から表示指示を入力すると、技術メタ情報ファイルプレビュー画面（表形式）（ｅ）を表示すると共に、フォーマットチェック結果を表示する。
【０１１７】
また、テキスト形式表示部３２は、ステップＳ１７０６において、「戻る」が選択されたことを判断した場合、当該技術メタ情報ファイルプレビュー画面（ｅ）（ｆ）の表示処理を終了し、図５のステップＳ５０７へ移行する（Ｐ４）。
【０１１８】
尚、図５及び図１７に示したとおり、技術メタ情報ファイル（ｅ）（ｆ）の表示処理（ステップＳ５０９）において、技術メタ情報処理部１１のフォーマットチェック部３０は、技術メタ情報ファイルのフォーマットチェックを行うようにした。これに対し、技術メタ情報ファイル（ｅ）（ｆ）の表示処理（ステップＳ５０９）よりも前の処理において、フォーマットチェックを行うようにしてもよい。例えば、完プロ一覧画面（ｂ）から完プロ／部分手直し選択画面（ｃ）へ移行したときの完プロ／部分手直し選択画面（ｃ）の表示処理（ステップＳ５０５）において、または、完プロ／部分手直し選択画面（ｃ）から完プロ／部分手直しメニュー画面（ｄ）へ移行したときの完プロ／部分手直しメニュー画面（ｄ）の表示処理（ステップＳ５０７）において、フォーマットチェック部３０は、フォーマットチェックを行う。
【０１１９】
以上のように、本発明の実施形態によるファイル表示装置１によれば、ディレクトリ処理部１０の画面遷移部２０は、ユーザによるボタン押下の操作に従った画面表示を行い、完プロ／部分手直し表示判定部２１は、画面遷移部２０が図８の完プロ一覧画面（ｂ）を表示する際に、完プロの番組または部分手直しの番組が所定の条件を満たすようにＨＤＤ装置２に収録されているか否かを判定するようにし、画面遷移部２０は、所定の条件が満たされない場合に、当該番組フォルダの名称を表示しないようにした。すなわち、完プロ／部分手直し表示判定部２１は、完プロ一覧画面（ｂ）に番組フォルダの名称がボタンとして表示される際に、ルートディレクトリ直下に番組フォルダが存在し、番組フォルダ直下に完プロフォルダまたは部分手直しフォルダが存在し、完プロフォルダまたは部分手直しフォルダに技術メタ情報ファイルが格納されており、所定数の映像ファイル等が格納されているか否かを判定するようにした。
【０１２０】
これにより、ユーザは、図８に示した番組フォルダの名称の一覧が表示される完プロ一覧画面（ｂ）を参照することで、ＨＤＤ装置２に所望の番組の情報が格納されているか否かを、ＨＤＤ装置２のディレクトリを参照して解析することなく、即座に判断することができる。また、完プロ一覧画面（ｂ）に所望の番組フォルダの名称が表示されていない場合、当該番組の情報が全く存在しないか、または、完プロの番組または部分手直しの番組の情報が不足していることを判断することができる。
【０１２１】
また、画面遷移部２０は、図８の完プロ一覧画面（ｂ）から移行して図９の完プロ／部分手直し選択画面（ｃ）を表示する際に、完プロの番組が図１６の所定の条件を満たしている場合に、「完プロファイル」のボタンを表示し、部分手直しの番組が図１６の所定の条件を満たしている場合に、「部分手直しファイル」のボタンを表示するようにした。
【０１２２】
これにより、ユーザは、図９に示した「完プロファイル」及び／または「部分手直しファイル」のボタンが表示される完プロ／部分手直し選択画面（ｃ）を参照することで、ＨＤＤ装置２に所望の番組の完プロファイルが格納されているか、また、部分手直しファイルが格納されているかを、ＨＤＤ装置２のディレクトリを参照して解析することなく、即座に判断することができる。また、完プロ／部分手直し選択画面（ｃ）に「完プロファイル」のボタンが表示され、「部分手直しファイル」のボタンが表示されていない場合、当該番組の「部分手直しファイル」の情報が全く存在しないか、またはその情報が不足していることを判断することができる。また、完プロ／部分手直し選択画面（ｃ）に「完プロファイル」のボタンが表示されておらず、「部分手直しファイル」のボタンが表示されている場合、当該番組の「完プロファイル」の情報が全く存在しないか、またはその情報が不足していることを判断することができる。
【０１２３】
また、本発明の実施形態によるファイル表示装置１によれば、技術メタ情報処理部１１のフォーマットチェック部３０は、チェックテーブル３３に基づいて、技術メタ情報ファイルに完成登録の条件等を満たすデータが格納されているかを判断するためのフォーマットチェックを行うようにし、表形式表示部３１は、タグ名テーブル３４に基づいて、技術メタ情報ファイルを表形式にて表示すると共に、フォーマットチェック結果を表示し、テキスト形式表示部３２は、技術メタ情報ファイルをテキスト形式にてそのまま表示すると共に、フォーマットチェック結果を表示するようにした。
【０１２４】
これにより、ユーザは、図１１に示した技術メタ情報ファイルプレビュー画面（表形式）（ｅ）を参照することで、技術メタ情報ファイルの具体的な内容を容易に把握することができ、所望の情報が格納されているか否かを即座に判断することができる。
【０１２５】
また、技術メタ情報ファイルプレビュー画面（表形式）（ｅ）、または図１２に示した技術メタ情報ファイルプレビュー画面（テキスト形式）（ｆ）には、技術メタ情報ファイルのフォーマットチェック結果として、完成登録の条件を満たさない項目が赤色で表示され、完成登録の条件ではないが、当該ファイルに格納されていることが望ましい項目が黄色で表示される。
【０１２６】
これにより、ユーザは、技術メタ情報ファイルプレビュー画面（表形式）（ｅ）または技術メタ情報ファイルプレビュー画面（テキスト形式）（ｆ）を参照することで、完成登録の条件を満たさない項目等を、技術メタ情報ファイルの内容を解析することなく、即座に判断することができる。つまり、技術メタ情報ファイルに必要な情報が格納されているか否かを容易に判断することができる。
【０１２７】
したがって、番組の収録から編集、登録及び送出までの一連の作業の過程において、ＨＤＤ装置２に格納された番組用のファイルを読み出して表示する際の、ユーザの利便性及び作業効率の向上を図ることが可能となる。
【０１２８】
また、ファイル表示装置１を携帯型のタブレット端末とすることにより、ユーザは、ファイル表示装置１を自由に持ち運ぶことができるから、スタジオ、ＰＤ居室等の様々な場所において、場所を選ぶことなく、手軽にＨＤＤ装置２に格納された技術メタ情報ファイル等の情報を参照することができる。つまり、従来は、ＨＤＤ装置２を編集室等の特定の場所へ持ち込んで専用装置を使用する必要があったが、このような手間が不要になり、ＨＤＤ装置２から容易に所望の情報を得ることができる。例えば、ＰＤ居室からＨＤＤ装置２を持ち出す前に、ＰＤ居室においてＨＤＤ装置２に格納されている情報を確認することができる。また、登録室にて登録処理を行っているときにエラーが発生した場合、ＨＤＤ装置２に格納されている情報を即座に確認することができ、その原因を調べることができる。
【０１２９】
以上、実施形態を挙げて本発明を説明したが、本発明は前記実施形態に限定されるものではなく、その技術思想を逸脱しない範囲で種々変形可能である。例えば、図１に示したファイル表示装置１は、ユーザが自由に持ち運び可能な携帯型のタブレット端末等の携帯端末でもよいし、据え置き型の端末装置であってもよい。
【符号の説明】
【０１３０】
１  ファイル表示装置
２  ＨＤＤ装置
１０  ディレクトリ処理部
１１  技術メタ情報処理部
１２  動画再生部
２０  画面遷移部
２１  完プロ／部分手直し表示判定部
２２  ディレクトリ表示部
３０  フォーマットチェック部
３１  表形式表示部
３２  テキスト形式表示部
３３  チェックテーブル
３４  タグ名テーブル
５０  制御部
５１  ＣＰＵ
５２  記憶部
５３  記憶装置
５４  ＨＤＤインタフェース部
５５  操作／入力部
５６  表示インタフェース部
５７  通信部
５８  システムバス
５９  キーボード、マウス等
６０  表示器
【図１】
2016127503.tif 000003
【図２】
2016127503.tif 000004
【図３】
2016127503.tif 000005
【図４】
2016127503.tif 000006
【図５】
2016127503.tif 000007
【図６】
2016127503.tif 000008
【図１４】
2016127503.tif 000009
【図１５】
2016127503.tif 000010
【図１６】
2016127503.tif 000011
【図１７】
2016127503.tif 000012
【図１８】
2016127503.tif 000013
【図１９】
2016127503.tif 000014
【図２０】
2016127503.tif 000015
【図７】
2016127503.tif 000016
【図８】
2016127503.tif 000017
【図９】
2016127503.tif 000018
【図１０】
2016127503.tif 000019
【図１１】
2016127503.tif 000020
【図１２】
2016127503.tif 000021
【図１３】
2016127503.tif 000022